(57)【要約】【課題】トイレットペーパーホルダーから、トイレットペーパーを容易に取り外せないようにすることを課題とする。【解決手段】トイレットペーパーホルダーとして、互いに平行に固定される２枚の側面支持板と、トイレットペーパーの中心孔に通り、これを支持する棒状体により形成される支持棒と、前記側面支持板の一方に形成される前記支持棒が通る貫通孔である第一支持孔と、他方の前記前面支持板の前記第一支持孔に対向する位置に形成される、前記支持棒の少なくとも先端部が係合する孔である第二支持孔と、前記側面支持板のいずれか一方に固定される、閂が出没動作をする錠前であって、この閂が突出した状態において、前記第一支持孔と前記第二支持孔とを結ぶ空間もしくは、この空間を側方に延長した空間内に閂の先端が存する錠前と、前記支持棒に形成される前記錠前の閂が係合する凹部である錠前係合部とを有する【選択図】  図１
2007313146.tif 000002
【特許請求の範囲】
【請求項１】
互いに平行に固定される２枚の側面支持板と、
トイレットペーパーの中心孔に通り、これを支持する棒状体により形成される支持棒と、
前記側面支持板の一方に形成される前記支持棒が通る貫通孔である第一支持孔と、
他方の前記前面支持板の前記第一支持孔に対向する位置に形成される、前記支持棒の少なくとも先端部が係合する孔である第二支持孔と、
前記側面支持板のいずれか一方に固定される、閂が出没動作をする錠前であって、この閂が突出した状態において、前記第一支持孔と前記第二支持孔とを結ぶ空間もしくは、この空間を側方に延長した空間内に閂の先端が存する錠前と、
前記支持棒に形成される前記錠前の閂が係合する凹部である錠前係合部と
を有する
トイレットペーパーホルダー。
【請求項２】
前記錠前係合部を形成する凹部は前記支持棒の全周に渡って形成される請求項１に記載のトイレットペーパーホルダー。
【請求項３】
互いに平行に固定される２枚の側面支持板と、
所定の横幅を有するタオルを支持する棒状体により形成される支持棒と、
前記側面支持板の一方に形成される前記支持棒が通る貫通孔である第一支持孔と、
他方の前記前面支持板の前記第一支持孔に対向する位置に形成される、前記支持棒の少なくとも先端部が係合する孔である第二支持孔と、
前記側面支持板のいずれか一方に固定される、閂が出没動作をする錠前であって、この閂が突出した状態において、前記第一支持孔と前記第二支持孔とを結ぶ空間もしくは、この空間を側方に延長した空間内に閂の先端が存する錠前と、
前記支持棒に形成される前記錠前の閂が係合する凹部である錠前係合部と
を有する
タオル掛け。
【請求項４】
前記錠前係合部を形成する凹部は前記支持棒の全周に渡って形成される請求項３に記載のタオル掛け。
【発明の詳細な説明】
【技術分野】
【０００１】
本発明はトイレットペーパーホルダーやタオル掛けの構造に関し、特に、容易に取り外すことができない構造を有するものに関する。
【背景技術】
【０００２】
トイレットペーパーホルダーは、一般的にはトイレットペーパーの交換を容易にできるようにトイレットペーパーを容易に取り外すことができるようになっている。具体的には、トイレットペーパーの芯部分を保持する棒体を伸縮自在として、これを縮めることで棒体を取り外ずしてトイレットペーパーを取り外せるようにしたり、下方から上方に回動するが上方から下方には回動しない水平の突出部によりトイレットペーパーの芯内部を両側から支持することで、トイレットペーパーを下方から上方に移動させることで取り外せるようにしたりするなど、種々の工夫がなされている。
【発明の開示】
【発明が解決しようとする課題】
【０００３】
ところで、知的障害児や自閉症児の中には、情動的にトイレットペーパーを丸ごと取り外して便器に放り投げて詰まらせることが多々ある。また、公衆トイレなどでも同様に悪戯でトイレットペーパーを詰まらせてしまうことが起こっている。これは、トイレットペーパーホルダーの交換を容易にしていることが原因であり、対象とする使用者によっては、トイレットペーパーホルダーからトイレットペーパーを容易にはずせないようにすることが望ましい場合もある。
また、同様の問題がタオル掛けにもあり、タオルが便器に投げ入れられたりすることがある。
本発明は、このような問題に鑑みて、トイレットペーパーホルダーやタオル掛けから、トイレットペーパーやタオルを容易に取り外せないようにすることを課題とする。
【課題を解決するための手段】
【０００４】
上記課題を解決するために、本発明は次のような構成を有する。
請求項１に記載の発明は、互いに平行に固定される２枚の側面支持板と、トイレットペーパーの中心孔に通り、これを支持する棒状体により形成される支持棒と、前記側面支持板の一方に形成される前記支持棒が通る貫通孔である第一支持孔と、他方の前記前面支持板の前記第一支持孔に対向する位置に形成される、前記支持棒の少なくとも先端部が係合する孔である第二支持孔と、前記側面支持板のいずれか一方に固定される、閂が出没動作をする錠前であって、この閂が突出した状態において、前記第一支持孔と前記第二支持孔とを結ぶ空間もしくは、この空間を側方に延長した空間内に閂の先端が存する錠前と、前記支持棒に形成される前記錠前の閂が係合する凹部である錠前係合部とを有するトイレットペーパーホルダーである。
このような構成を有するトイレットペーパーホルダーは、トイレットペーパーの中空部分が、第一支持孔と第二支持孔との間に存するようにし、この状態で、支持棒を第一支持孔から通して、第二支持孔にて先端部を支持する。そして、錠前の鍵を操作して、錠に設けられる閂を突出状態として、支持棒の錠前係合部と係合させることで支持棒を抜けないように固定する。
請求項２に記載の発明は、前記トイレットペーパーホルダーにおいて、前記錠前係合部を形成する凹部は前記支持棒の全周に渡って形成されるものである。
【０００５】
請求項３に記載の発明は、互いに平行に固定される２枚の側面支持板と、所定の横幅を有するタオルを支持する棒状体により形成される支持棒と、前記側面支持板の一方に形成される前記支持棒が通る貫通孔である第一支持孔と、他方の前記前面支持板の前記第一支持孔に対向する位置に形成される、前記支持棒の少なくとも先端部が係合する孔である第二支持孔と、前記側面支持板のいずれか一方に固定される、閂が出没動作をする錠前であって、この閂が突出した状態において、前記第一支持孔と前記第二支持孔とを結ぶ空間もしくは、この空間を側方に延長した空間内に閂の先端が存する錠前と、前記支持棒に形成される前記錠前の閂が係合する凹部である錠前係合部とを有するタオル掛けである。
このような構成を有するタオル掛けは、端部を折り返して、折り返した先端部分と重なる部分とを縫い合わせることで、端部にパイプ状部分を形成したタオルを使用する。即ち、まず、第一支持孔から支持棒を通し、第一支持孔に通した支持棒の先端を、さらにタオルのパイプ状部分に通した後に、第二支持孔に支持させる。そして、錠前の鍵を操作して、錠に設けられる閂を突出状態として、支持棒の錠前係合部と係合させることで支持棒が抜けないように固定する。
請求項４に記載の発明は、前記タオル掛けにおいて、前記錠前係合部を形成する凹部は前記支持棒の全周に渡って形成されるものである。
【発明の効果】
【０００６】
請求項１に記載の発明は、トイレットペーパーを保持する保持棒が、錠前によって固定されるので、錠前を構成する錠の閂を鍵により移動させない限り、トイレットペーパーをトイレットペーパーホルダーから取り出すことができず、知的障害児等が取り外して便器に投入することを防ぐことができる。
請求項２に記載の発明は、前記錠前係合部を形成する凹部は前記支持棒の全周に渡って形成されるので、支持棒を錠前の閂に係合させる際に周方向に位置合わせをする必要がなくなり、より容易に固定することができる。
請求項３に記載の発明は、先端を折り返して縫い合わせたタオルを保持する保持棒が、錠前によって固定されるので、錠前を構成する錠の閂を鍵により移動させない限り、タオルをタオル掛けから取り出すことができず、知的障害児等が取り外して便器に投入したりすることを防ぐことができる。
請求項４に記載の発明は、前記錠前係合部を形成する凹部は前記支持棒の全周に渡って形成されるので、支持棒を錠前の閂に係合させる際に周方向に位置合わせをする必要がなくなり、より容易に固定することができる。
【発明を実施するための最良の形態】
【０００７】
以下、本発明の実施の形態について、図面を参照しながら説明する。
（実施形態１）
図１に本実施形態に係るトイレットペーパーホルダーＸの斜視図を示し、図２にトイレットペーパーホルダーＸの底面図を示す。トイレットペーパーホルダーＸは本体１０、支持棒２０、錠前３０とから構成される。
本体１０は前面と底面とが開放した箱状体であり、トイレの壁面に固定される背面板１４、背面板１４の左右に互いに平行に固定される側面支持板１１、１２、背面板１４及び側面支持板１１、１２の上面に設けられる上面板１３とから構成される。両背面支持板１１および１２には、相対する位置に後述する支持棒２０が通ることができる貫通孔である第一支持孔１１ａ、第二支持孔１２ａがそれぞれ形成されている。
支持棒２０はトイレットペーパーの芯の中空部を支持できる丸棒状の部材により形成されており、端部近傍に全周に渡って溝状に形成されている凹部からなる錠前係合部２１を有する。
錠前３０は、錠３１と鍵３２とから構成される。錠３１は、鍵穴３１ｂに鍵３２を差し込んで回すと、閂３１ａが突出した状態と、没入した状態に移行でき、それぞれの状態において鍵３２を抜き差しすることができる。そして、錠３１は、鍵穴３１ｂが一方の側面支持板１２の側面に形成される穴から表出するように、背面支持板１２の内面側に固定される。さらに、錠３１は、第一支持孔１１ａ、第二支持孔１２ａに係合する支持棒２０が所定位置にあるときに、突出状態の閂３１ａの先端が、支持棒２０の錠前係合部２１を構成する凹部内に入るような位置に設けられている。
【０００８】
次に、以上のような構成を有するトイレットペーパーホルダーＸの使用方法について説明する。まず、鍵３２を使用して錠前３０の閂３１ａを没入状態として、支持棒２０を抜き取る。次に、トイレットペーパーＰを芯の中空部分が、第一支持孔１１ａと第二支持孔１２ａの間にくるように位置づけ、支持棒２０を再び第一支持孔１１ａ及び第二支持孔１２ａに通す。そして、支持棒２０の錠前係合部２１の位置を、錠前３０の閂３１ａのある位置に位置づけて、鍵３２を回して閂３１ａを突出状態として錠前係合部２１に係合させる。最後に、鍵３２を抜き取って、トイレットペーパーＰの固定が完了する。この状態となると、支持棒２０は、閂３１ａによって左右方向の動きが拘束され、第一支持孔１１ａおよび第二支持孔１２ａから抜き取ることができなくなる。従って、知的障害児等が使用するに際してもトイレットペーパーＰが丸ごと取りはずされることを防ぐことができる。
なお、錠前３０の位置は側面支持板１１、１２のそれぞれの内面および外面のどこに設けてもよい。この際、支持棒２０の錠前係合部２１の位置は、錠前３０の位置に応じて適宜変更されることとなる。また、第二支持孔１２ａは貫通している必要はない。
【０００９】
（実施形態２）
図３に本実施形態に係るタオル掛けＹの斜視図を示す。タオル掛けＹは本体５０、支持棒６０、錠前７０とから構成される。タオル掛けＹは実施形態１にかかるトイレットペーパーホルダーＹと形状が異なるが、ほぼ同じ構成を有する。
本体５０は前面と底面とが開放した箱状体であり、洗面所等の壁面に固定される背面板５４、背面板５４の左右に互いに平行に固定される側面支持板５１、５２、背面板５４及び側面支持板５１、５２の上面に設けられる上面板５３とから構成される。両背面支持板５１および５２には、相対する位置に後述する支持棒６０が通ることができる貫通孔である第一支持孔５１ａ、第二支持孔５２ａがそれぞれ形成されている。
支持棒６０は想定される幅を有するタオルを支持できる丸棒状の部材により形成されており、端部近傍に全周に渡って溝状に形成されている凹部からなる錠前係合部６１を有する。
錠前７０は、錠７１と鍵７２とから構成される。錠７１は、鍵穴７１ｂに鍵７２を差し込んで回すと、閂７１ａが突出した状態と、没入した状態に移行でき、それぞれの状態において鍵７２を抜き差しすることができる。そして、錠７１は、鍵穴７１ｂが一方の側面支持板５２の側面に形成される穴から表出するように、背面支持板５２の内面側に固定される。さらに、錠７１は、第一支持孔５１ａ、第二支持孔５２ａに係合する支持棒６０が所定位置にあるときに、突出状態の閂７１ａの先端が、支持棒６０の錠前係合部６１を構成する凹部内に入るような位置に設けられている。
【００１０】
次に、以上のような構成を有するタオル掛けＹの使用方法について説明する。なお、タオル掛けＹで使用するタオルＴは、先端が折り返され、重なった部分で縫い合わされて、パイプ状の部分ができたものが使用される。まず、鍵７２を使用して錠前７０の閂７１ａを没入状態として、支持棒６０を抜き取る。次に、支持棒６０を第一支持孔５１ａもしくは第二支持孔５２ａから差し入れる。そして、この差し入れられた先端部分に、タオルのパイプ状部分の開口を差し入れて、支持棒６０をさらに内部に進行させながら、タオルのパイプ状部分内へと入れていく。支持棒６０がタオルのパイプ状部分の全てに入ったら、最後に先端部分を空いている第二支持孔５２ａもしくは第一支持孔５１ａに入れ、支持棒６０の錠前係合部６１の位置を、錠前７０の閂７１ａのある位置に位置づける。そして、鍵７２を回して閂７１ａを突出状態として錠前係合部６１と係合させた後に、鍵７２を抜き取って、タオルＴの固定が完了する。この状態となると、支持棒６０は、閂７１ａによって左右方向の動きが拘束され、第一支持孔５１ａおよび第二支持孔５２ａから抜き取ることができなくなる。従って、知的障害児等が使用するに際してもタオルＴが取り去られることを防ぐことができる。
なお、やはり錠前７０の位置は側面支持板５１、５２のそれぞれの内面および外面のどこに設けてもよい。この際、支持棒６０の錠前係合部６１の位置は、錠前７０の位置に応じて適宜変更されることとなる。また、第二支持孔５２ａは貫通している必要はない。さらに、ここでは、タオルＴは上端部にパイプ状部分が形成されるようにしているが、全体を筒状とし、全体をパイプ状にしてもよい。
【図面の簡単な説明】
【００１１】
【図１】実施の形態１に係るトイレットペーパーホルダーの斜視図である。
【図２】実施の形態１に係るトイレットペーパーホルダーの側面図である。
【図３】実施の形態２に係るタオル掛けの斜視図である。
【符号の説明】
【００１２】
Ｘ  トイレットペーパーホルダー
Ｐ  トイレットペーパー
Ｙ  タオル掛け
Ｔ  タオル
１１、１２、５１、５２  側面支持板
１１ａ、５１ａ、  第一支持孔
１２ａ、５２ａ    第二支持孔
２０、６０      支持棒
２１、６１      錠前係合部
３０、７０      錠前
３１ａ、７１ａ  閂
【図１】
2007313146.tif 000003
【図２】
2007313146.tif 000004
【図３】
2007313146.tif 000005